(57)【特許請求の範囲】
【請求項１】
リザーバー内のウォッシャー液を加熱するためにリザーバーのホールに設置される板状のヒーター；
前記ヒーターを取り囲むようにリザーバーに組み立てられる保護カバー；
前記ヒーターと保護カバーをリザーバーに固定するための締結手段；及び
前記ヒーター周りの部分に沿って結合される結合部材を含み、
前記板状のヒーターは発熱がなされる加熱面がリザーバー内のウォッシャー液を加熱できるように、前記ホールを通じてリザーバーの内側へ露出されるよう、固定され、
前記締結手段は、
前記結合部材の外側面、及び結合部材と保護カバーの間の接合部位を取り囲みながら、リザーバーのホールに押入されて固定されるリング状の取り付け部材であることを特徴とする、リザーバー一体型のウォッシャー液加熱装置。
【請求項２】
前記ヒーターは、
板状のベース部材；
前記ベース部材に積層される下部絶縁層；
前記下部絶縁層上に積層される発熱体；
前記発熱体に外部電源を印加できるように接続される電極；及び
前記発熱体と電極の上に積層される上部絶縁層を含み、
前記下部絶縁層の上に長く形成された複数の発熱体が定められた間隔に配列されてパターン化されていることを特徴とする、請求項１に記載のリザーバー一体型のウォッシャー液加熱装置。
【請求項３】
前記結合部材がリング状に形成されて結合部材の内側にヒーターが結合され、前記結合部材と保護カバー周りの部分に沿ってフランジが突出形成され、結合部材のフランジと保護カバーのフランジが接合した状態で前記取り付け部材が両側フランジの間の接合部位を取り囲むように組み立てられることを特徴とする、請求項１に記載のリザーバー一体型のウォッシャー液加熱装置。
【請求項４】
前記取り付け部材は、リザーバー内のウォッシャー液の漏水を防止するために、リザーバーのホールに押入された状態で前記リザーバーと結合部材、保護カバーに密着された状態に結合されることを特徴とする、請求項１に記載のリザーバー一体型のウォッシャー液加熱装置。
【請求項５】
前記リザーバーのホールの内側に挿入される押入部下側の取り付け部材の外側面の周りに沿って係止溝が形成され、前記係止溝にリザーバーのホール周りの部分が挟まれて結合された状態で、上側の押入部が係止突起の役割をするようになったことを特徴とする、請求項１に記載のリザーバー一体型のウォッシャー液加熱装置。
【請求項６】
前記ヒーターが設置されるリザーバーのホールは、リザーバー内のウォッシャー液が常に残っている位置であるリザーバーの下端部面または底面に形成されることを特徴とする、請求項１に記載のリザーバー一体型のウォッシャー液加熱装置。
【発明の詳細な説明】
【技術分野】
【０００１】
本発明は自動車のウォッシャー液加熱装置に関するものであって、さらに詳細には、リザーバー内のウォッシャー液の粘度の増加によるウォッシャーポンプの吐出圧低下、ウォッシャー液の供給不良及び着手位置不良、ガラス磨きの不良、ウォッシャーポンプの損傷及び作動スイッチの損傷などの問題点を改善できる自動車のウォッシャー液加熱装置に関するものである。
【背景技術】
【０００２】
自動車を運転するにあたり、安全運行のために何より重要なのは、円滑な前方視野の確保である。
【０００３】
よって、通常、自動車には運転者の円滑な前方視野の確保のために、フロントガラスの表面に附着された異物をとり除き、雨天時にガラス表面の雨水を拭いてくれるワイパー装置が設置されている。
【０００４】
同時に、車両にはフロントガラスの表面を洗浄する過程で異物をより容易くとり除けるように、ガラスの表面にウォッシャー液を噴射してくれるウォッシャー液噴射装置が備えられている。
【０００５】
ウォッシャー液噴射装置は、リザーバー(reservoir)に保存されているウォッシャー液をウォッシャーポンプ(ウォッシャーモーター)が押送し、噴射ノズルを通じてガラスの表面へ噴射できるよう構成されるが、通常の噴射ノズルは車両のカウルトップ(cowl top)の内部やフード(hood)に設置される。
【０００６】
図１は一般的なウォッシャー液噴射装置の構成を示す概路図であって、ウォッシャー液噴射装置はウォッシャー液が保存されるリザーバー１、リザーバー１に装着されてリザーバーに保存されたウォッシャー液をウォッシャーホース３を通じて押送するウォッシャーポンプ２、ウォッシャーホース３を通じて押送されるウォッシャー液をフロントガラス５の表面へ噴射するウォッシャーノズル４を含む。
【０００７】
このような構成において、運転者が作動スイッチ(多機能スイッチ内のウォッシャースイッチ)をオン(On)にする場合、ウォッシャーポンプ２が作動してリザーバー１に保存されているウォッシャー液を押送し、押送されたウォッシャー液はウォッシャーノズル４を通じてガラス５の表面へ噴射される。
【０００８】
一方、寒冷地域や低い温度条件でウォッシャー液は凍結されることがあるし、また温度が低いほどウォッシャー液の粘度が増加するところ、特にウォッシャー液の粘度が増加する時にはウォッシャー液噴射の不良が生じえる。
【０００９】
したがって、図２に示されたように、ウォッシャーホース３の途中でウォッシャー液を加熱してくれる加熱装置６が適用されたりもするが、通常のウォッシャー液加熱装置６はウォッシャーポンプ２から噴射ノズル４へ押送されるウォッシャー液が通過できるようになったハウジングを含む。
【００１０】
前記ハウジングは、前後端の各ウォッシャーホース３が繋がって、ウォッシャー液がそれぞれ流入及び排出される入口ポートと出口ポートを有し、ハウジングにはコントローラーの制御信号によって電源を印加されて発熱作動するヒーター棒が内蔵される。
【００１１】
これによって、ウォッシャーポンプ２の作動によって押送されるウォッシャー液がウォッシャーホース３の途中に配置された加熱装置６のハウジング内部を通過しながら、前記ヒーター棒によって加熱された後、再度ウォッシャーホース３を通じて噴射ノズル４に供給される。
【００１２】
このような構成で、運転者が作動スイッチをオンにする場合、ウォッシャーポンプ２が作動すると共に加熱装置６に電源が印加され、ウォッシャーポンプ２によってウォッシャー液が押送される間、加熱装置６がウォッシャー液を加熱するので、加熱されたウォッシャー液がウォッシャーホース３を通じて噴射ノズル４に供給されて噴射できるようになる。
【００１３】
しかし、加熱装置６がリザーバー１と分離されてウォッシャーホース３の途中に設置されるので、ウォッシャーホースを通じて押送されるウォッシャー液を加熱することはできるが、温度などの条件によってリザーバー１に保存されているウォッシャー液の粘度が増加した場合、リザーバーに装着されたウォッシャーポンプ２がウォッシャー液を容易に押し出すことができず、結局ウォッシャーポンプの吐出圧低下によってウォッシャー液の着手位置が不良になる問題点がある。
【００１４】
すなわち、ウォッシャー液の粘度増加によるウォッシャーポンプの吐出圧低下及びそれによるウォッシャー液の着手位置不良、ガラス磨きの不良が、加熱装置の装着有無にかかわらず同一に発生している。
【００１５】
特に、ウォッシャー液の粘度が増加する場合、ウォッシャーポンプ２の作動電流増加によってウォッシャーポンプ(ウォッシャーモーター)の炭化の可能性があり、同時に作動スイッチ(多機能スイッチ内のウォッシャースイッチ)の接点炭化及び損傷が発生することがある。
【発明の概要】
【発明が解決しようとする課題】
【００１６】
したがって、本発明は前記のような問題点を解決するために作り出したものであって、效果的なウォッシャー液の加熱を通じてウォッシャー液の粘度増加を防止し、ウォッシャー液の粘度増加によって表れる問題点を解決することができる自動車のウォッシャー液加熱装置を提供することにその目的がある。
【００１７】
なお、本発明はリザーバーとウォッシャー液加熱装置が分離されている従来の構成で表れる問題点、つまり、リザーバー内のウォッシャー液の粘度増加によるウォッシャーポンプの吐出圧低下、ウォッシャー液の供給不良及び着手位置不良、ガラス磨きの不良、ウォッシャーポンプの損傷及び作動スイッチの損傷などの問題点を改善することができるウォッシャー液加熱装置を提供することにその目的がある。
【課題を解決するための手段】
【００１８】
前記目的を果たすために、本発明は、リザーバー内のウォッシャー液を加熱するためにリザーバーのホールに設置される板状のヒーター；前記ヒーターを取り囲むようにリザーバーに組み立てられる保護カバー；及び前記ヒーターと保護カバーをリザーバーに固定するための締結手段を含み、前記板状のヒーターは発熱がなされる加熱面がリザーバー内のウォッシャー液を加熱できるように、前記ホールを通じてリザーバーの内側へ露出されるよう、固定されることを特徴とするリザーバー一体型のウォッシャー液加熱装置を提供する。
【００１９】
ここで、前記ヒーターは、板状のベース部材；前記ベース部材に積層される下部絶縁層；前記下部絶縁層の上に積層される発熱体；前記発熱体に外部電源を印加できるように接続される電極；及び前記発熱体と電極の上に積層される上部絶縁層を含み、前記下部絶縁層の上に長く形成された複数の発熱体が定められた間隔に配列されてパターン化されていることを特徴とする。
【００２０】
また、本発明の一実施例によるウォッシャー液加熱装置は、前記ヒーター周りの部分に沿って結合される結合部材をさらに含み、前記締結手段は、前記結合部材の外側面、及び結合部材と保護カバーの間の接合部位を取り囲みながら、リザーバーのホールに押入されて固定されるリング状の取り付け部材であることを特徴とする。
【００２１】
ここで、前記結合部材がリング状に形成されて結合部材の内側にヒーターが結合され、前記結合部材と保護カバー周りの部分に沿ってフランジが突出形成され、結合部材のフランジと保護カバーのフランジが接合した状態で前記取り付け部材が両側フランジの間の接合部位を取り囲むように組み立てられることを特徴とする。
【００２２】
また、前記取り付け部材は、リザーバー内のウォッシャー液の漏水を防止するために、リザーバーのホールに押入された状態で前記リザーバーと結合部材、保護カバーに密着された状態に結合されることを特徴とする。
【００２３】
また、前記リザーバーのホールの内側に挿入される押入部下側の取り付け部材の外側面の周りに沿って係止溝が形成され、前記係止溝にリザーバーのホール周りの部分が挟まれて結合された状態で、上側の押入部が係止突起の役割をするようになったことを特徴とする。
【００２４】
そして、本発明の他の実施例によるウォッシャー液加熱装置は、前記ヒーターの周り部分に沿って保護カバーのフランジと接合されるフランジが突出形成され、前記締結手段はヒーターのフランジと保護カバーのフランジ、リザーバーのホール周りの部分が接合された状態でその接合部位を締結するボルトであることを特徴とする。
【００２５】
ここで、相互接合されるヒーターのフランジと保護カバーのフランジの間、そしてヒーターのフランジとリザーバーのホール周りの部分の間にウォッシャー液の漏水を防止するための水密パッドが介在されることを特徴とする。
【００２６】
また、前記ヒーターが設置されるリザーバーのホールは、リザーバー内のウォッシャー液が常に残っている位置であるリザーバーの下端部面または底面に形成されることを特徴とする。
【発明の効果】
【００２７】
これによって、本発明のウォッシャー液加熱装置によると、リザーバーに一体型で装着されてリザーバーの内側に露出された板状のヒーターがウォッシャー液を直接加熱することになるので、低い温度条件でのウォッシャー液の粘度増加による問題点、すなわちウォッシャーポンプの吐出圧低下、ウォッシャー液の供給不良及び着手位置不良、ガラス磨きの不良、ウォッシャーポンプの損傷及び作動スイッチの損傷などの問題点を改善できるようになる。
【図面の簡単な説明】
【００２８】
【図１】一般的なウォッシャー液噴射装置の構成を示す概路図である。
【図２】従来の加熱装置を有するウォッシャー液噴射装置を示す概路図である。
【図３】本発明の一実施例によるウォッシャー液加熱装置がリザーバーに一体型で装着された状態を示す斜視図である。
【図４】本発明の一実施例によるウォッシャー液加熱装置がリザーバーに一体型で装着された状態を示す斜視図である。
【図５】本発明の一実施例によるウォッシャー液加熱装置の分解斜視図である。
【図６】本発明の一実施例によるウォッシャー液加熱装置が装着された状態を示す切開斜視図である。
【図７】本発明の一実施例で板状のヒーターの構成を示す分解斜視図である。
【図８】本発明の一実施例で板状のヒーターのパターン化された発熱体及び電極を示す平面図である。
【図９】本発明の他の実施例によるウォッシャー液加熱装置がリザーバーに一体型で装着された状態を示す斜視図である。
【図１０】本発明の他の実施例によるウォッシャー液加熱装置がリザーバーに一体型で装着された状態を示す斜視図である。
【図１１】本発明の他の実施例によるウォッシャー液加熱装置の分解斜視図である。
【図１２】本発明の他の実施例によるウォッシャー液加熱装置が装着された状態を示す切開斜視図である。
【図１３】本発明の他の実施例で板状のヒーターのパターン化された発熱体及び電極を示す平面図である。
【発明を実施するための形態】
【００２９】
以下、添付した図面を参照にして、本発明の実施例について本発明が属する技術分野において通常の知識を有する者が容易に実施できるように詳しく説明する。
【００３０】
本発明は、低い温度条件でウォッシャー液の粘度増加による問題点を改善できるウォッシャー液加熱装置を提供するもので、特にリザーバーとウォッシャー液加熱装置が分離されている従来の構成を改善し、リザーバー内のウォッシャー液の粘度増加によるウォッシャーポンプの吐出圧低下、ウォッシャー液の供給不良及び着手位置不良、ガラス磨きの不良、ウォッシャーポンプの損傷及び作動スイッチの損傷などの問題点を改善できるウォッシャー液加熱装置を提供しようとするものである。
【００３１】
このために、本発明のウォッシャー液加熱装置は、ウォッシャー液が保存されるリザーバーに一体型で装着されてリザーバー内のウォッシャー液を直接加熱できるように構成される点に主な特徴がある。
【００３２】
図３及び図４は本発明の一実施例によるウォッシャー液加熱装置を示す斜視図であって、図３は実施例のウォッシャー液加熱装置がリザーバーに一体型で装着された平面斜視図であり、図４は底面斜視図である。
【００３３】
ウォッシャー液が保存されるリザーバー１は、上部タンクと下部タンクに分離構成されることができるが、上部タンクと下部タンクが上下に組み立てられて所定の容積の密閉された内部空間を持つリザーバーが構成される。
【００３４】
図３及び図４にはリザーバー１を構成する上、下部タンクの中で下部タンクだけが図示されていて、下部タンクに本発明のウォッシャー液加熱装置１００が一体と装着される。
【００３５】
図５は本発明の一実施例によるウォッシャー液加熱装置の分解斜視図で、図６はリザーバーにウォッシャー液加熱装置が装着された状態を示す切開斜視図である。
【００３６】
図示されたように、実施例のウォッシャー液加熱装置１００は、ウォッシャー液が保存されるリザーバー１に一体型で附着され、リザーバーに保存されたウォッシャー液を直接加熱することができる構造で固定装着される。
【００３７】
また、実施例のウォッシャー液加熱装置１００は、リザーバー１内のウォッシャー液の量に係らずウォッシャー液を加熱できる位置、すなわちリザーバーの下部に装着されることができるし、リザーバーの内部空間に接するように固定され、リザーバー内のウォッシャー液を直接加熱することができる板状のヒーター１１０を有する。
【００３８】
好適な実施例において、ウォッシャー液加熱装置１００の装着部位は、リザーバー１の下端部面または底面になりえるし、リザーバー１の下端部面または底面にホール１aを形成し、前記ホール１aに板状のヒーター１１０がリザーバー内のウォッシャー液と直接接触できるように固定される。
【００３９】
この時、板状のヒーター１１０はリザーバー１のホール１aを仕上げるように固定されて位置づけられ、発熱がなされる加熱面がリザーバー内のウォッシャー液を加熱できるよう、前記ホール１aを通じてリザーバー１の内側に露出されるように固定される。
【００４０】
また、板状のヒーター１１０がリザーバー１のホール１aを通じてリザーバー内に露出されてもウォッシャー液の中で発熱がなされてからこそ過熱を防止することができ、そうすることでヒーター１１０が保護されるところ、板状のヒーター１１０が設置されるリザーバー１のホール１aは、ウォッシャーポンプ(不図示)が作動してもリザーバー内のウォッシャー液が常に残っている位置に形成される。
【００４１】
すなわち、リザーバー１でウォッシャーポンプによるウォッシャー液の吸入が行われる位置より低い位置でありながら、リザーバー内のウォッシャー液の永久残量が存在する位置であるリザーバーの下端部面または底面に前記ホール１aが形成される。
【００４２】
構成についてさらに詳細に説明すると、実施例のウォッシャー液加熱装置１００は電源を印加されて発熱し、リザーバー１内のウォッシャー液を加熱するようにリザーバーのホール１aに固定される板状のヒーター１１０、ヒーター１１０を取り囲むようにリザーバー１に組み立てられてヒーターを保護する保護カバー１２０、ヒーター１１０と保護カバー１２０周りの部分を取り囲むように組み立てられ、リザーバー１のホール１aに押入された状態でヒーターと保護カバーをリザーバーで固定及び支持しながらウォッシャー液の漏水を防止するリング状の取り付け部材１４０を含む。
【００４３】
ここで、板状のヒーター１１０は図７に示したように、板状のベース部材１１１、ベース部材１１１の上に積層される下部絶縁層１１２、細くて長くパターン化されて下部絶縁層１１２の上に積層される発熱体１１３、前記パターン化された発熱体１１３に外部電源を印加するための電極１１４、発熱体１１３と電極１１４の上に積層される上部絶縁層１１５を含む構成を持つ。
【００４４】
前記ベース部材１１１は、発熱体１１３と電極１１４を支持する支持体の役割をする基材になるもので、ステンレス鋼などのような金属や合成樹脂などで製作されることができるし、このようなベース部材１１１の上面に絶縁材料をコーティングして下部絶縁層１１２を形成することができる。
【００４５】
図８は実施例で板状のヒーター１１０を図示した平面図であって、下部絶縁層１１２の上に細くて長くパターン化された複数の発熱体１１３を所定の間隔で横方向に配置し、パターン化された発熱体１１３の両端に共通に接続されることができるように電極１１４を縦方向に長く配置する。
【００４６】
板状のヒーター１１０を構成するにあたり、例示したように細くて長い発熱体１１３を一定間隔にヒーターの全面積に均等に配置することで発熱面積を大きくすることができ、熱の集積度を下げて特定部位で発熱が集中されないようにすることができる。
【００４７】
前記電極１１４にはワイヤを通じて電源用コネクター１１７が繋がり、コントローラー(不図示)の制御信号によってコネクター１１７及び電極１１４を通じて発熱体１１３に電源が印加されれば、発熱体１１３が発熱作動してウォッシャー液を加熱できるようになる。
【００４８】
上部絶縁層１１５はパターン化された発熱体１１３と電極１１４の上に絶縁材料をコーティングして形成することができる。
【００４９】
図８で図面符号１１６は、発熱体１１３を含むヒーター１１０の温度を検出するために付着される、図示されていないサーミスタ(thermistor)のための接続端子であって、この接続端子１１６がワイヤを通じてサーミスタ用コネクター１１８に繋がり、サーミスタ用コネクター１１８にはワイヤを通じてコントローラーが繋がる。
【００５０】
これで、コントローラーがサーミスタによって検出されるヒーター１１０の温度によってヒーターの作動電源、すなわち発熱体１１３に印加される電源を制御することができ、基本的には運転者がウォッシャー液噴射のために作動スイッチ(ウォッシャースイッチ)を操作すれば、電源を印加してヒーターを作動させ、基準温度以上にヒーターの温度が過熱されると、電源を遮断してヒーターをオフさせる。
【００５１】
前記保護カバー１２０は、ヒーター１１０の下側を覆ってヒーターを保護できるように組み立てられるものであって、所定の容積を内部空間を持ちながら開放された上面周りの部分に沿ってフランジ１２１が突出形成された構造に製作されることができる。
【００５２】
この時、例示したように電源用コネクター１１７は、保護カバー１２０の外側面やリザーバー１の外側面に固定装着されることができ、この場合、電源用コネクター１１７に繋がったワイヤが保護カバー１２０を貫いてヒーター１１０の電極１１４に接続される。
【００５３】
また、サーミスタ用コネクター１１８は、それ自体が保護カバー１２０を貫くように組み立てられることができ、サーミスタ用コネクター１１８も保護カバー１２０内のワイヤを通じてヒーター１１０のサーミスタ用接続端子１１６に接続される。
【００５４】
また、好適な実施例において、板状のヒーター１１０は別途の結合部材１３０を媒介にして保護カバー１２０及び取り付け部材１４０に結合されることができ、これはヒーター１１０を保護カバー１２０及び取り付け部材１４０と結合するために使われるものであって、内側に板状のヒーター１１０が入れられるリング状に形成され、ヒーター周りの部分に結合される。
【００５５】
実施例において、前記結合部材１３０はヒーター１１０周りの部分に沿って一体と射出成形される成形物になりえるし、下端周りの部分に沿ってフランジ１３１が突出形成された構造に成形されることができる。
【００５６】
また、結合部材１３０のフランジ１３１と保護カバー１２０のフランジ１２１が接合された状態で締結手段になるリング状の取り付け部材１４０がフランジ１２１、１３１の間の接合部位を含んで結合部材１３０の外側を取り囲むように組み立てられ、このような取り付け部材１４０によって結合部材１３０と保護カバー１２０、ヒーター１１０が一体と組み立てられた状態を維持するようになる。
【００５７】
前記取り付け部材１４０はリザーバー１でヒーター１１０と結合部材１３０、保護カバー１２０を固定及び支持する締結手段でありながら、これら部品とリザーバーの間の間隙を閉鎖してウォッシャー液の漏水を防止するシーリング及び水密用部材であって、硬質のゴム材料のようにヒーター１１０と結合部材１３０、保護カバー１２０を支持することができる十分な支持力を発揮しながらも、若干の弾性を持つ材質で成形製作されることが望ましい。
【００５８】
これによって、取り付け部材１４０がリザーバー１、結合部材１３０の外側面及びフランジ１３１、保護カバー１２０のフランジ１２１と密着した状態で結合部材及びヒーター、保護カバーを動かないように固定させ、特にリザーバー、結合部材、保護カバーに密着された状態でウォッシャー液の漏水を防止することになる。
【００５９】
前記取り付け部材１４０は結合部材１３０及びヒーター１１０、保護カバー１２０と組み立てられた状態でリザーバー１のホール１aに圧入方式で固定結合されるが、取り付け部材１４０の上部にはリザーバーのホールの内側に挿入して固定される押入部１４１が形成され、押入部１４１下側の取り付け部材の外側面の周りに沿って、リザーバー１のホール１a周りの部分が挟まれて結合される係止溝１４２が形成される。
【００６０】
これで、係止溝１４２を基準にして、その上側部分である取り付け部材１４０の押入部１４１がリザーバー１のホール１aに挿入された状態である時、リザーバー１のホール１a周りの部分が取り付け部材１４０の係止溝１４２に挟まれてかかっているようになり、結局、係止溝１４２を基準にして突出されている押入部１４１が係止突起作用をすることになり、これによって取り付け部材１４０がリザーバー１のホール１aから離脱されずに堅く固定される。
【００６１】
結局、結合部材１３０及びヒーター１１０、保護カバー１２０が取り付け部材１４０によってリザーバー１に固定された状態と維持されることができるし、結合部材１３０及びヒーター１１０、保護カバー１２０を含む加熱装置１００全体がリザーバー１に一体型で付着された状態になる。
【００６２】
また、取り付け部材１４０と結合部材１３０がリング状に製作されて組み立てられるので、その中央の内側に位置するヒーター１１０がリザーバー１のホール１aを閉鎖する形で固定され、このようなヒーター１１０の上面(加熱面になる)がリザーバー１の内側へ露出されるようになるので、ヒーターがウォッシャー液を直接加熱することが可能となる。
【００６３】
一方、図９〜図１２は本発明の他の実施例を示す図面であって、図示されたように板状のヒーター１１０をリザーバー１に直接ボルト１５０を締結して固定する方式を適用することが可能である。
【００６４】
図９〜図１２の実施例では、取り付け部材が削除される代わりに、板状のヒーター１１０と電源用コネクター１１７、サーミスタ用コネクター１１８、ワイヤを組立てて構成したヒーターアセンブリーを保護カバー１２０と共に直接ボルト１５０でリザーバー１に締結して固定する。
【００６５】
この時、ヒーター１１０の基本構成は、図３〜図６の実施例と差がなく(図７参照)、ただ図１２に示したようにヒーター１１０周りの部分、より明確にはベース部材１１１周りの部分に沿って保護カバー１２０のフランジ１２１と接合された状態でボルトが締結されるフランジ１１１aが突出形成される。
【００６６】
これによって、ヒーター１１０のフランジ１１１aと保護カバー１２０のフランジ１２１を接合した状態で、相互接合されたフランジ部位をリザーバー１のホール１a周りの部分にボルト１５０で締結することでヒーター１１０と保護カバー１２０を固定し、この時、電源用コネクター１１７とサーミスタ用コネクター１１８は保護カバー１２０に固定することができる。
【００６７】
また、好ましくは、相互接合されるヒーター１１０のフランジ１１１aと保護カバー１２０のフランジ１２１の間、そしてヒーター１１０のフランジ１１１aとリザーバー１の接合部位の間には、ウォッシャー液の漏水を防止するための水密パッド１５１が介在されることがある。
【００６８】
このように固定された加熱装置１００でヒーター１１０の上面がリザーバー１の内側に露出されるようになるので、ヒーター１１０がウォッシャー液を直接加熱することが可能となる。
【００６９】
結局、本発明によるウォッシャー液加熱装置を適用する場合、リザーバー内に保存されたウォッシャー液を直接加熱するようになるので、低い温度条件でウォッシャー液の粘度増加による問題点、すなわちウォッシャーポンプの吐出圧低下、ウォッシャー液の供給不良及び着手位置不良、ガラス磨きの不良、ウォッシャーポンプの損傷及び作動スイッチの損傷などの問題点を改善することができるようになる。
【００７０】
以上、本発明の実施例について詳細に説明したが、本発明の権利範囲がこれに限定されるものではなく、以下の特許請求範囲で定義している本発明の基本概念を利用した当業者のいろいろな変形及び改良形態もまた本発明の権利範囲に含まれる。
【符号の説明】
【００７１】
１：リザーバー                          １a：ホール
１００：ウォッシャー液加熱装置          １１０：ヒーター
１１１：ベース部材                      １１１a：フランジ
１１２：下部絶縁層                      １１３：発熱体
１１４：電極                            １１５：上部絶縁層
１１６：接続端子                        １１７：電源用コネクター
１１８：サーミスタ用コネクター          １２０：保護カバー
１２１：フランジ                        １３０：結合部材
１３１：フランジ                        １４０：取り付け部材
１４１：押入部                          １４２：係止溝
１５０：ボルト                          １５１：水密パッド
【図１】
0006522334.tif 000002
【図２】
0006522334.tif 000003
【図３】
0006522334.tif 000004
【図４】
0006522334.tif 000005
【図５】
0006522334.tif 000006
【図６】
0006522334.tif 000007
【図７】
0006522334.tif 000008
【図８】
0006522334.tif 000009
【図９】
0006522334.tif 000010
【図１０】
0006522334.tif 000011
【図１１】
0006522334.tif 000012
【図１２】
0006522334.tif 000013
【図１３】
0006522334.tif 000014